(57)【要約】【課題】使用性の高い遠隔制御装置を提供すること。【解決手段】遠隔制御装置が、入力部１２と、前記入力部１２からの入力に基づいて動作する制御部１３と、前記制御部１３からの音声出力信号に基づいて音声信号を生成する音声生成部１４と、前記音声生成部１４により生成された音声信号に基づいて音声を出力する音声出力部１５と、前記音声出力部より出力される音声に基づいた決定指令を送信する制御決定入力部１６と、遠隔制御信号を送信する送信部１８とを有する。【選択図】図１
2007043346.tif 000002
【特許請求の範囲】
【請求項１】
入力部と、前記入力部からの入力に基づいて動作する制御部と、前記制御部からの音声出力信号に基づいて音声信号を生成する音声生成部と、前記音声生成部により生成された音声信号に基づいて音声を出力する音声出力部と、前記音声出力部より出力される音声に基づいた決定指令を送信する制御決定入力部と、遠隔制御信号を送信する送信部とを有することを特徴とする遠隔制御装置。
【請求項２】
音声出力の有無を選択する音声有無選択部を備えたことを特徴とする請求項１に記載の遠隔制御装置。
【請求項３】
音声出力部の音声レベルを調整する音声出力レベル調整部を備えたことを特徴とする請求項１または２に記載の遠隔制御装置。
【発明の詳細な説明】
【技術分野】
【０００１】
本発明は、遠隔制御装置の操作内容を音声で確認できるようにした遠隔制御装置に関するものである。
【背景技術】
【０００２】
従来、この種の遠隔制御システムは、リモコンなどの遠隔制御装置に配設してある押ボタンなどの入力部により入力すると、前記入力部の入力に応じた遠隔制御信号をリモコンの送信部から送信すると共に、リモコンに配設してある音声応答部から、その遠隔制御信号に応じた内容を表す音声が出力される。そして遠隔制御信号を、被遠隔制御装置に配設してある受信部で受信し、その受信された遠隔制御信号によって、被遠隔制御装置に配設されている制御部で被遠隔制御装置を制御する（例えば、特許文献１参照）。
【０００３】
図３は、従来の空気調和機の制御装置の概略ブロック図である。図３に示すように、リモコン１と空気調和機本体２とで構成されている。
【０００４】
リモコン１には、押ボタンにより入力される入力部３と、入力部３からの入力に基づいて動作する音声応答選択部を含むリモコン制御部４と、リモコン制御部４からの表示信号により液晶表示する表示部５と、リモコン制御部４からの遠隔制御信号を送信する送信部６と、リモコン制御部４からの音声出力信号に基づいて音声信号を生成する音声生成部７と、音声生成部７により生成された音声信号に基づいて音声で出力する音声出力部８とを有している。
【０００５】
また、空気調和機本体２には、リモコン１からの遠隔制御信号を受信する受信部９と、受信部９により受信された遠隔制御信号によって空気調和機本体２を制御する制御部１０から構成されている。
【特許文献１】特開２００１−１２８２６４号公報
【発明の開示】
【発明が解決しようとする課題】
【０００６】
しかしながら、前記従来の構成では、暗がりでリモコンを操作しようとしたり、視覚障害者や視力の低下した人がリモコンを操作しようとする際、液晶の表示内容や操作ボタンを確認することが困難なので、誤った操作、例えば、誤って運転停止や運転モードの変更をしてしまい、快適性が著しく悪化するという課題を有していた。
【０００７】
本発明は、前記従来の課題を解決するもので、使用性の高い遠隔制御装置を提供することを目的とする。
【課題を解決するための手段】
【０００８】
前記従来の課題を解決するために、本発明の遠隔制御装置は、入力部と、前記入力部からの入力に基づいて動作する制御部と、前記制御部からの音声出力信号に基づいて音声信号を生成する音声生成部と、前記音声生成部により生成された音声信号に基づいて音声を出力する音声出力部と、制御決定入力部と、遠隔制御信号を送信する送信部とを有するものである。
【０００９】
これによって、暗がりで遠隔制御装置を操作しようとしたり、視覚障害者や視力の低下した人が遠隔制御装置を操作しようとする際にも、遠隔制御装置の操作を音声で確認した後、被遠隔制御装置への送信を決定するため、誤った設定に変更することを回避可能とな
る。
【発明の効果】
【００１０】
本発明は、前記従来の課題を解決するもので、使用性の高い遠隔制御装置を提供することができる。
【発明を実施するための最良の形態】
【００１１】
第１の発明は、遠隔制御装置が、入力部と、前記入力部からの入力に基づいて動作する制御部と、前記制御部からの音声出力信号に基づいて音声信号を生成する音声生成部と、前記音声生成部により生成された音声信号に基づいて音声を出力する音声出力部と、制御決定入力部と、遠隔制御信号を送信する送信部とを有することで、被遠隔制御装置に送信する遠隔制御信号の内容を、音声出力部で確認することができ、その確認をした後に制御決定入力部により遠隔制御信号を被遠隔制御装置に送信することができるので、暗がりでの遠隔制御装置の操作時、視覚障害者や視力の低い人の遠隔制御装置の操作時において、誤動作や、誤った設定に変更することを回避することができる。
【００１２】
第２の発明は、特に、第１の発明の遠隔制御装置において、音声出力の有無を選択する音声有無選択部を備えたことにより、表示を確認できる場合など、必要に応じて音声出力をなくすことができ、その結果、電池の消費を抑制することが可能となる。
【００１３】
第３の発明は、特に、第１または第２の発明の遠隔制御装置において、音声出力部の音声レベルを調整する音声出力レベル調整部を備えたことにより、周囲の騒音が大きい場合など、必要に応じて音声レベルを変更することができるため、より認知性を高めることができる。
【００１４】
以下、本発明の実施の形態について図面を参照しながら説明する。なお、この実施の形態によって本発明が限定されるものではない。
【００１５】
（実施の形態１）
図１は、本発明の実施の形態１における遠隔制御装置の概略を示すブロック図である。図１において、リモコン１１は、入力部１２と、前記入力部１２からの入力に基づいて動作する制御部１３と、前記制御部１３からの音声出力信号に基づいて音声信号を生成する音声生成部１４と、前記音声生成部１４により生成された音声信号に基づいて音声を出力する音声出力部１５と、前記音声出力部１５より出力される音声に基づいた決定指令を送信する制御決定入力部１６と、各種情報を表示する表示部１７と、前記制御決定入力部１６の動作に基づき遠隔制御信号が送信される送信部１８と、音声出力の有無を選択する音声有無選択部１９と、前記音声出力部１５の音声出力レベルを調整する音声出力レベル調整部２０で構成される。なお、制御部１３、音声生成部１４はマイクロコンピュータ等で構成される。入力部１２、制御決定入力部１６は、ボタン式、スライド式など、どのような形状でもよく、その動作によって信号が送信できるものであればよいが、本実施の形態１では、ボタン式に配設されている。音声出力部１５は、音声を発するスピーカである。
【００１６】
以上のように構成された遠隔制御装置について、以下、その動作、作用を説明する。
【００１７】
制御部１３は、入力部１２からの入力に基づいて動作する。音声生成部１４は制御部１３からの音声出力信号に基づいて音声信号を生成し、音声出力部１５は、音声生成部１４により生成された音声信号に基づいて音声を出力する。この時、併せて、表示部１７には、音声出力内容などを表示してもよい。
【００１８】
また、制御部１３は、音声出力部１５が音声を出力した後、制御決定入力部１６の入力
により、入力部１２からの入力に応じた遠隔制御信号を、送信部１８から被遠隔制御装置２１（例えば、空気調和機など）に送信する。
【００１９】
また、制御部１３は、音声有無選択部１９では、音声出力の有無を選択することができ、音声出力を有効にすると、音声出力を行い、音声出力を無効にすると、音声出力を行わない。さらに、音声出力レベル調整部２０では、音声出力部１５の音量を設定することができる。
【００２０】
図２は、本発明の実施の形態１における遠隔制御装置の制御動作を示すフローチャートである。
【００２１】
まず、ステップ１において、入力部１２の入力の有無を判断して、入力がないと判断すると、ステップ１を繰り返し、入力があると判断するとステップ２に進む。
【００２２】
ステップ２において、音声有無選択部１９で音声出力の有無を判断して、音声出力がないと判断するとステップ６に進み、音声出力があると判断するとステップ３に進む。
【００２３】
ステップ３において、入力部１２での入力内容に応じて制御部１３が音声出力信号を出力し、これに基づいて、音声生成部１４で音声信号が生成される。さらに、音声生成部１４で生成された音声信号に基づいて、音声出力レベル調整部２０で設定された音量で、音声出力部１５から音声を出力し、ステップ４に進む。
【００２４】
ステップ４において、音声出力部１５から出力された音声を、リモコン１１を使用しているユーザが聞いて、その音声内容を決定する場合には、制御決定入力部１６を押下する。もし、違うのであれば、制御決定入力部１６のボタンは押下せずに、もう一度、入力部１２にて入力を行う。この時、制御部１３が、制御決定入力部１６の入力の有無を判断し、入力があると判断すると、ステップ６に進み、入力がないと判断すると、ステップ５に進む。
【００２５】
ステップ５において、制御決定入力部１６の入力がないと判断されると、もう一度、入力部１２にて入力を行い、入力を行った場合は、ステップ３に進み、入力を行わない場合は、もう一度ステップ４に戻る。
【００２６】
ステップ６において、制御決定入力部１６の入力があると判断されると、ステップ１もしくは、ステップ５にて入力した内容に基づいた遠隔制御信号が、送信部１８から被遠隔制御装置２１に送信され、被遠隔制御装置２１の受信部２２で遠隔制御信号を受信し、制御部２３にてその遠隔制御信号に基づいた制御を行う。
【００２７】
以上のように、本実施の形態においては、リモコン１１に、入力部１２と、前記入力部１２からの入力に基づいて動作する制御部１３と、前記制御部１３からの音声出力信号に基づいて音声信号を生成する音声生成部１４と、前記音声生成部１４により生成された音声信号に基づいて音声を出力する音声出力部１５と、制御決定入力部１６と、遠隔制御信号を送信する送信部１８とを有することで、被遠隔制御装置２１に送信する遠隔制御信号の内容を、音声出力部１５で確認することができ、その確認をした後に制御決定入力部１６により遠隔制御信号を被遠隔制御装置２１に送信することができるので、暗がりでのリモコン１１の操作時、視覚障害者や視力の低い人のリモコン１１の操作時において、誤動作や、誤った設定に変更することを回避することができる。
【００２８】
また、本実施の形態１では、リモコン１１に音声出力の有無を選択する音声有無選択部１９を備えたことにより、表示を確認できる場合など必要に応じて音声出力をなくすこと
が可能となり、電池の消費を抑制することができる。
【００２９】
また、本実施の形態１では、リモコン１１に音声出力のレベルを調整する音声出力レベル調整部２０を備えたことにより、周囲の騒音が大きい場合など必要に応じて音声出力レベルを変更することが可能となり、認知性を高めることができる。
【産業上の利用可能性】
【００３０】
以上のように、本発明に係る遠隔制御装置は、暗がりで操作しようとしたり、視覚障害者や視力の低下した人がリモコンを操作しようとする際にも誤った設定に変更することを回避することが可能となるので、空気調和機以外にも、各種ＡＶ機器、家電のリモコン類全てにおいて適用することができる。
【図面の簡単な説明】
【００３１】
【図１】本発明の実施の形態１における遠隔制御装置の概略を示すブロック図
【図２】同遠隔制御装置の制御動作を示すフローチャート
【図３】従来の遠隔制御装置の概略を示すブロック図
【符号の説明】
【００３２】
１１  リモコン
１２  入力部
１３  制御部
１４  音声生成部
１５  音声出力部
１６  制御決定入力部
１７  表示部
１８  送信部
１９  音声有無選択部
２０  音声出力レベル調整部
【図１】
2007043346.tif 000003
【図２】
2007043346.tif 000004
【図３】
2007043346.tif 000005